(57)【要約】  【課題】着用者の上半身表面に密着する状態で着用される作業性に優れたシャツでありながら、作業時に生じる袖部へのダメージに耐えうる作業用上着を提供する。  【解決手段】横方向への伸縮性に優れたストレッチ素材で構成した見頃部分(２)・(３)と、伸縮性のない布帛織物で構成した袖部(４)と、縦方向への伸縮性に優れたストレッチ素材で構成した袖下マチ部分(５)とで構成してある。【選択図】    図１
2017048476.tif 000002
【特許請求の範囲】
【請求項１】
横方向への伸縮性に優れたストレッチ素材で構成した見頃部分(２)・(３)と、伸縮性のない布帛織物で構成した袖部(４)と、縦方向への伸縮性に優れたストレッチ素材で構成した袖下マチ部分(５)とで構成してある作業用ニットシャツ。
【請求項２】
袖下マチ部分(５)は、見頃部分(２)・(３)に形成されている袖繰り線の下部分と袖部(４)の下半部との間に縫着されている請求項１に記載の作業用ニットシャツ。
【請求項３】
袖部(４)がラグラン袖で形成されている請求項１又は２に記載の作業用ニットシャツ。
【請求項４】
袖下マチ部分(５)が袖部下半部の脇側での１/３部分に対応している請求項１から３のいずれか１項に記載の作業用ニットシャツ。
【発明の詳細な説明】
【技術分野】
【０００１】
本発明は、着用者の上半身表面に密着した状態で着用されるシャツに関し、特に農作業や土木作業現場で作業する作業者に好適なシャツに関する。
【背景技術】
【０００２】
近年、土木などの作業現場において、織物のシャツではなく動きやすく快適性のある編物のシャツ(ニットシャツ)が使用されている。しかし、この編物のシャツは、耐久性に難があり、あまり長持ちせず、特に袖部の損傷は作業における危険も懸念される。
【０００３】
例えば、ニットシャツを道路の草刈り等に使用した場合、草刈機との「スレ」や、飛ばされた小石、草木の破片による袖先部分へのダメージに耐えることができず、長期にわたる使用が難しくなるという問題があった。このため、動きやすく快適性を有しながら、袖部が丈夫な作業上着が要望されている。
【０００４】
しかし、現状では、動きやすく快適性を有しながらも、損傷しやす袖部に耐久性を有するさ作業上着は提供されていない。
【発明の概要】
【発明が解決しようとする課題】
【０００５】
本発明は、このような要望に応えるため、着用者の上半身表面に密着する状態で着用される作業性に優れたシャツでありながら、作業時に生じる袖部へのダメージに耐えうる作業用上着を提供することを目的とする。
【課題を解決するための手段】
【０００６】
上述の目的を達成するために、請求項１に記載の本発明は、作業用ニットシャツを、横方向への伸縮性に優れたストレッチ素材で構成した見頃部分と、伸縮性のない布帛織物で構成した袖部と、縦方向への伸縮性に優れたストレッチ素材で構成した袖下マチ部分とで構成してあることを特徴としている。
【０００７】
請求項２に記載の本発明は、請求項１の構成に加えて、見頃部分に形成されている袖繰り線の下側部分と袖部の下半部との間に袖下マチ部分を縫着したことを特徴とし、請求項３に記載の本発明は、請求項１又は請求項２の構成に加えて、袖部をラグラン袖に形成したことを特徴としている。また、請求項４に記載の本発明は、請求項１から請求項３のいずれかに記載の構成に加えて、袖下マチ部分を袖部下半部の脇側での１/３部分に対応させてあることを特徴としている。
【発明の効果】
【０００８】
本発明では、横方向への伸縮性に優れたストレッチ素材で構成した見頃部分と、伸縮性のない布帛織物で構成した袖部と、縦方向への伸縮性に優れたストレッチ素材で構成した袖下マチ部分とで作業用ニットシャツを構成してあることから、身体に密着して着用でき、運動性を損なわないものでありながら、袖部は伸縮性のない強靭な布帛織物で形成されていることから、作業機器との「スレ」や、飛ばされた小石、草木の破片が袖に当たることによる袖部分がダメージを受けることを抑制することができる。
【０００９】
また、見頃部分と袖部とを接続する脇の下部分に縦方向への伸縮性に優れたストレッチ素材で形成した袖下マチ部分を配置していることから、腕の上げ下ろしに伴う見頃部分と袖部との接続部分での引きつれを抑制することができる。
【００１０】
また、袖部をラグラン袖に形成した場合には、肩の部分に伸縮性のない強靭な布帛織物が位置することになるから、襟部分での負担が少なくなり、型崩れを抑制することができる。
【図面の簡単な説明】
【００１１】
【図１】本発明の一実施形態を示し、図１(Ａ)は正面図、図１(Ｂ)は背面図である。
【図２】図１に示す実施形態での袖下マチ片の取り出し図である。
【図３】本発明の別実施形態を示し、図３(Ａ)は正面図、図３(Ｂ)は背面図である。
【図４】図３に示す別実施形態での袖下マチ片の取り出し図である。
【発明を実施するための形態】
【００１２】
図１は本発明にかかる作業用ニットシャツ(１)の一実施形態を示し、この作業用ニットシャツ(１)は、横方向への伸縮性に優れたストレッチ素材で構成した前後の身頃部分(２)・(３)と、伸縮性のない布帛織物で構成した袖部(４)と、縦方向への伸縮性に優れたストレッチ素材で構成した袖下マチ部分(５)と、襟部(６)と、袖口部(７)とで構成してある。
【００１３】
前後の身頃部分(２)・(３)は、ポリエステル樹脂製の糸を編むことで横方向への伸縮性を縦方向への伸縮性に比して１.４倍程度伸びやすく形成した編物で構成してあり、前身頃(２)の首元から胸元にかけて、開閉ファスナー(８)が縫着してある。
【００１４】
袖部分(４)は、綿‐ポリエステルの織物で構成された布帛生地でラグラン袖に形成されている。そして、この袖部分(４)は、肩部分を覆う上袖部分(４ａ)と腕部の下側を覆う下袖部分(４ｂ)とで構成されており、上・下の袖部分(４ａ)・(４ｂ)の先端部に袖口部(７)が縫着してある。この袖口部(７)には、面状ファスナー(９)が装着してあり、袖口を確りと固定できるようにしてある。また、下袖部分(４ｂ)は、腕関節対応部分よりも身頃側にその基端部が位置しており、下袖部分(４ｂ)の存在しない部分は、袖長の１／３程度の長さであり、その部分には後述する袖下マチ部分(５)が装着されている。
【００１５】
袖下マチ部分(５)は、図２に示すように、前後身頃部分(２)・(３)を構成しているポリエステル製編物と同種の生地を上縁が山形に突出している盾形状に形成して、横方向への伸縮性に比して縦方向の伸縮性が大きくなるようにしてある。そして、この袖下マチ部分(５)は、前後身頃部分(２)・(３)の脇の下対応部と、上袖部分(４ａ)の脇側下縁部、および下袖部分(４ｂ)の身頃側部分とにわたって配置してある。
【００１６】
襟部(６)は、見頃部分(２)・(３)と同種の生地に袖部(４)と同種の生地を縫合して形成してあり、上袖部(４ａ)の肩側端部は、その一部がこの襟部(６)に縫着されるとともに、残部が身頃部分(２)(３)の肩寄り部分に縫着してある。
【００１７】
図３は、別の実施形態を示し、綿‐ポリエステルの織物で構成された布帛生地で形成した袖部(４)を肩片部分(４ｃ)と腕関節対応部分よりも身頃側にその基端部が位置する筒袖部分(４ｄ)とで構成し、前後身頃部分(２)・(３)の脇の下対応部と、肩片部分(４ｃ)の脇側下縁部、および筒袖部分(４ｄ)の身頃側部分とにわたって袖下マチ部分(５)を配置してある。
【００１８】
この袖下マチ部分(５)は、図４に示すように、上端を平坦に形成した盾形状に形成してある。また、この袖下マチ部分(５)は前出した実施形態と同様に横方向への伸縮性に比して縦方向の伸縮性が大きくなるようにしてある。
【００１９】
このように、本発明では、身頃部分(２)・(３)を横方向への伸縮性に富むストレッチ素材で形成するとともに、袖部分(４)から肩部分にかけて伸縮性がない布帛素材で構成し、見頃部分(２)・(３)と袖部分(４)とを連結する袖下部分に縦方向への伸縮性に富むストレッチ素材で形成した袖下マチ部分(５)を配置しているので、身体に密着して着用でき、運動性を損なわないものでありながら、袖部は伸縮性のない強靭な布帛織物で形成されていることから、作業機器との「スレ」や、飛ばされた小石、草木の破片が袖に当たることによる袖部分がダメージを受けることを抑制することになる。
【００２０】
また、袖部をラグラン袖に形成してあることからは、肩の部分に伸縮性のない強靭な布帛織物が位置することになるから、襟部分での負担が少なくなり、型崩れを抑制することができる。
【００２１】
上述した両実施形態では、伸縮性のない強靭な布帛織物で形成されている袖部にポケットを配置して収納性を持たせるようにしてもよい。
【産業上の利用可能性】
【００２２】
本発明の作業用ニットシャツは、農作業や土木作業現場で作業する作業者に好適である。
【符号の説明】
【００２３】
２・３…見頃部分、４…袖部、５…袖下マチ部分。
【図１】
2017048476.tif 000003
【図２】
2017048476.tif 000004
【図３】
2017048476.tif 000005
【図４】
2017048476.tif 000006